Podtech/llm-jp-corpus-v4-ja_patent huggingface dataset:
(57)【要約】【課題】  本発明は、小型のノート型パソコンにおいて表計算やデータ入力などの数字入力に便利な独立したテンキーの搭載を可能にし、誤ってキーを押すことを防止する機能を有した、ノート型パソコン用枠付きテンキーを提供する。【解決手段】  ノート型パソコン用のキーボードの手前側、左右に掌の根元を添える本体部分があり、その右側又は左側のスペースに枠付きテンキーを搭載する。  キーボード使用時に掌の根元部分がテンキーに触れてしまい、誤ってキーを押してしまうことを防ぐために、各キーの回りに枠が設けられ、枠と同じ高さ又は枠より低い位置にキーを設置することで、一般的なテンキー搭載パソコンに近い、直感的なテンキーの使用が可能になる。【選択図】図２
2011113551.tif 000002
【特許請求の範囲】
【請求項１】
各キーの回りに枠が設けられ、枠と同じ高さ又は枠より低い位置にキーを設置することにより、誤ってキーを押すことを防止する機能を有した、ノート型パソコン用枠付きテンキー。
【請求項２】
各キーの大きさや配置を変えた、請求項１のノート型パソコン用枠付きテンキー。
【発明の詳細な説明】
【技術分野】
【０００１】  本発明は、小型のノート型パソコンにおいても、独立したテンキーの搭載を可能にする、誤ってキーを押すことを防止する機能を有した、枠付きテンキーに関するものである。
【背景技術】
【０００２】  １５型以上のノート型パソコンでテンキーの搭載されている物が市販されている。
ＮｕｍＬｏｃｋによる切り替えにより通常のキーボード内のキーの一部をテンキーに代替して使えるノート型パソコンのキーボードは知られている。
別途ノート型パソコンに取付けるテンキーは一般的に多く使われている。
ノート型パソコン用のテンキーに関する特許文献がある。（特許文献１参照）（特許文献２参照）
【特許文献１】特許公開平１１−３１２０２８号公報
【特許文献２】登録実用新案第３１３１０２８号公報
【発明の開示】
【発明が解決しようとする課題】
【０００３】  ノート型パソコンにおいて表計算やデータ入力などの数字入力をする際、専用のテンキーが搭載されていないものが多く、横並びの数字入力用キーを利用するが、入力効率が悪い。
１５型以上のノート型パソコンでは、テンキーの搭載されている物が一部市販されているが、１５型以下のノート型パソコンではスペース的に実用的なテンキーの搭載は困難である。
ＮｕｍＬｏｃＫによる切り替えにより通常のキーボード内にキーの一部をテンキーに代替して使えるノート型パソコンのキーボードは知られているが、切り替え操作が必要で解り難く、キー配列が文字入力用になっている為、直感的な使用が困難である。
別途ノート型パソコンに取付けるテンキーは一般的に多く使われているが、ディスクの上では重宝するが、外出先や携帯性を重視した小型のノート型パソコンとしての利便性は失われてしまう。
ノート型パソコン用のテンキーに関して工夫した、特許文献が見られるが、テンキーの使用時に取外すことや使用しないときにカバーをするなどにより、誤ってキーを押さないように工夫するため、一般的なキーボードの様に他の動作をせずに文字入力と数字入力を同時進行ですることができない。
【課題を解決するための手段】
【０００４】  ノート型パソコンにおいて画面を起こして使用する状態にした時、通常のノート型パソコン用のキーボードの手前側の左右に掌の根元を添える本体部分がある。その右側又は左側のスペースにテンキーを搭載する。
この時、一般的なテンキーの形状では、キーボード使用時に掌の根元部分がテンキーに触れてしまい、誤ってテンキーを押してしまうことが避けられない。
そこで、枠付きのテンキーにより誤ってテンキーを押してしまうことを防止する。
この枠付きテンキーは、各キーの回りに枠が設けられ、枠と同じ高さ又は枠より低い位置にキーを設置することにより、誤ってキーを押してしまうことを防ぐ物である。
一般的なテンキーは０、Ｅｎｔｅｒ、＋、キーは、大きめになっているが、誤ってキーを押すことを防止することを特徴にした、枠付きテンキーでは、枠と枠との間隔を大きくしない様に、他のキーと同じ大きさ、又は少し離れた位置への配置することが望ましい。
小さめのノート型パソコンにおいても、テンキーの大きさを必要最小限にすることや、テンキーの配列を変えることで、枠付きテンキーを搭載したノート型パソコンは、一般的なテンキー搭載パソコンに近い、直感的なテンキーの使用が可能になる。
本発明は、以上の構成よりなる、誤ってキーを押すことを防止する機能を有した、枠付きテンキーである。
【発明の効果】
【０００５】  本発明を利用することで、１５型クラスより小さいノート型パソコンにおいても、取り外しや取付け、切り替えなど他の動作なしで使えるテンキーを搭載する事ができるため、表計算やデータ入力などの数字入力の効率がよくなり、ノート型パソコン本来の携帯性と利便性を生かすことができる。
【発明を実施するための最良の形態】
【０００６】以下、本発明の実施の形態を説明する。
ノート型パソコンにおいて画面を起こして使用する状態にした時、通常のノート型パソコン用のキーボード（３）の手前側の左右に掌の根元を添える本体部分（２）がある。その右側又は左側のスペースにテンキーを搭載する。（４）
この時、一般的なのテンキーの形状では、キーボード使用時に掌の根元部分がテンキーに触れてしまい、誤ってテンキーを押してしまうことが避けられない。
そこで、枠付きのテンキー（４）により誤ってテンキーを押してしまうことを防止する。
この枠付きテンキー（４）は、各キーの回りに枠（５）が設けられ、枠と同じ高さ又は枠より低い位置にキーを設置することにより、誤ってキーを押してしまうことを防ぐ物である。
一般的なテンキーは０、Ｅｎｔｅｒ、＋、キーは、大きめになっているが、誤ってキーを押すことを防止することを特徴にした、枠付きテンキー（４）では、枠と枠との間隔を大きくしない様に、他のキーと同じ大きさ、又は少し離れた位置への配置することが望ましい。
小さめのノート型パソコンにおいても、テンキーの大きさを必要最小限にすることや、テンキーの配列を変えることで、枠付きテンキー（４）を搭載したノート型パソコンは、一般的なテンキー搭載パソコンに近い、直感的なテンキーの使用が可能になる。
本発明は、以上の構成よりなる、誤ってキーを押すことを防止する機能を有した、枠付きテンキーである。
【図面の簡単な説明】
【０００７】
【図１】ノート型パソコンに本発明、枠付きテンキーを搭載した全体図。
【図２】本発明、枠付きテンキーの拡大斜視図。
【符号の説明】
【０００８】（１）ノート型パソコン本体、（２）掌の根元を添える部分、（３）ノート型パソコンのキーボード部分、（４）枠付きテンキー部分、（５）枠付きテンキーの枠部分
【図１】
2011113551.tif 000003
【図２】
2011113551.tif 000004
(57)【要約】      （修正有）【課題】料金を投入し姓名を入力すると、印鑑が装置内でその場で個別に彫刻できる印鑑販売機を提供する。印鑑ケースも同じ販売機で販売する。【解決手段】キーボード３に希望する名前を入力すると、モニター画面２に印影が表示され書体が選択できる。文字の拡大縮小および文字線の太さの調整機能が設けられており、好みの字体に自分で微調整できる。販売機１は印鑑ケースも販売できるようになっており、印鑑と印鑑ケースをセットで販売できる。販売機１内部に印鑑材料収納ホッパーを設け、印鑑材料を予め保管しておく。ホッパー内の最下部の彫刻対象印材と中心が一致する場所に印鑑彫刻機を配置する。彫刻済みの印鑑を取り出すために仕切り板とフラップ弁を配置している。仕切り板がフラップ弁を押し込むと開口部が開き、彫刻済みの印鑑が排出される。【選択図】図１
2011113556.tif 000002
【特許請求の範囲】
【請求項１】
印鑑販売機（１）本体内部に印鑑彫刻機（１２）を装備した印鑑販売機
【請求項２】
印鑑（１０）と印鑑ケース（１６）を販売できる印鑑販売機
【発明の詳細な説明】
【技術分野】
【０００１】この発明は、内部に印鑑彫刻機を装備した印鑑販売機に関するものである。
【背景技術】
【０００２】認印などの印鑑は書店や百円ショップなどに５０００本や１００００本入りの大型の印鑑タワーが設置され、だれでも簡単に購入できるようになっている。印鑑タワーは大きく重量があり広い設置場所が必要である。日本人の姓名は多種多様であり大型の印鑑タワーでも常備しておらず対応できないことも多い。珍しい姓の認印や姓名彫りの実印や銀行印などの特殊な印鑑は印章専門店で特別注文で購入しなければならない。近年、印鑑彫刻は彫刻機械の高性能化により殆ど手彫りから機械彫りに変わっている。彫刻機は印章専門店以外は設置しておらず、価格も高く他の業種では扱ってないので購入に不便である。
【発明の開示】
【発明が解決しようとする課題】
【０００３】（イ）従来の印鑑タワーは５０００本から１００００本入っているものが主流で、高価格で本体も大きく重量があり、設置場所もある程度の広さが必要であり取扱いにくい。
（ロ）日本人の姓名は多種多様に渡っており既製品で対応できないものも多く、見つからなければ印章専門店で彫刻してもらうしかなかった。特に実印・銀行印等は高価格でなかなか手に入りにくかった。
（ハ）印鑑タワーに所蔵している印鑑の売れ筋は１０％程度であり、残りの印鑑はそのほとんどが長期在庫となっており販売効率が悪い。
（ニ）書店などで印鑑を購入しても印章専門店以外は印鑑ケースを販売している店舗は少なく不便である。
本発明は、以上のような欠点をなくすためになされたものである。
【課題を解決するための手段】
【０００４】（イ）料金を印鑑販売機（１）に投入しキーボード（３）に名前を入力すれば、モニター（２）に数種類の字体の印影（６）が表示される。好みの印影を選択し文字の大きさや線の太さを微調整し、彫刻ボタンをクリックすると内蔵された印鑑彫刻機（１２）が作動し短時間で彫刻を完了し、取り出し口（５）に彫刻済み印鑑が自動的に排出される。
（ロ）印鑑ケース（１６）をキーボード（３）で選択すると、モニター（２）上に印鑑ケースが数種類表示される。好みのものを選択すれば取り出し口（５）に自動的に排出される。
本発明は、以上の構成よりなる印鑑販売機である。
【発明の効果】
【０００５】従来の印鑑タワーに比べ在庫量も最小限で済み小型化、軽量化が可能になる。設置場所も受付カウンターや机の上にも設置できる。これまで印鑑販売していなかった業種にも受け入れられ市場を多様化できる。印鑑彫刻機によりその都度で個別に彫刻するので多種多様な日本人の姓名にも対応できる。文字の配置、大きさ、文字線の太さを調整できるので好みのものができ，安価なもので済ませたい人々にとって利便性が高まる。直径の異なる印鑑材料を入れるホッパーを設ければ、実印・銀行印などに使用できる大型の印鑑も販売できる。印鑑ケースもこの販売機で一緒に販売でき購入者にとって更に利便性が高まる。
【発明を実施するための最良の形態】
【０００６】以下、本発明を実施するための最良の形態について説明する。
金銭投入口（４）に料金を投入し、キーボード（３）に名前を打ち込むと表示パネル（６）に数種類の印影が表示される。希望の印影を選び文字位置、大きさ等を微調整し印鑑彫刻機（１２）を作動させる。５分〜１０分で彫刻が完了すると取り出し口（５）に印鑑が自動的に排出される。印鑑ケース（１６）の場合も、料金を投入すると取り出し口（５）に同様に排出される。販売機内部のホッパー（９）には錘（８）が設けられ、最下部の彫刻対象の印鑑材料（１０）をしっかり固定できるよう上部から荷重を加えている。印鑑材料（１０）が少なくなって錘（８）が降りてくると、リミッター（１１）が作動し品切れ表示が出る仕組みである。彫刻が完了すると仕切り板（１４）が作動し、彫刻済み印鑑と上部の印鑑材料の間に割って入る。そのまま仕切り板（１４）を押し出すとフラップ弁（１５）が開き、彫刻済み印鑑のみが取出し口（５）に排出される。仕切り板（１４）が原状停止位置に戻る過程で最初にフラップ弁（１５）が閉じる。その後上部から次の印鑑材料（１０）が降りて彫刻位置に固定される仕組みである。印鑑ケース（１６）販売も同様な仕組みで錘（８）を組み込んだホッパー（９）に収納し仕切り板（１４）によりフラップ弁（１５）を開閉させることで取り出す方式となっている。印影の表示や彫刻機（１２）や仕切り板（１４）の制御はコンピータ制御システムである。
【図面の簡単な説明】
【０００７】
【図１】本発明の外観図である。
【図２】本発明の一部断面図である。
【図３】本発明の部分図である。
【図４】本発明の部分詳細図である。
【図１】
2011113556.tif 000003
【図２】
2011113556.tif 000004
【図３】
2011113556.tif 000005
【図４】
2011113556.tif 000006
(57)【要約】      （修正有）【課題】写真撮影において、レンズフードを装着したままでは困難だった偏光フィルターの操作を容易にすること。【解決手段】先端円周部に１０ミリ前後の等間隔で、直径に応じて複数の切り欠きを設けたことを特徴とする偏光フィルター。【選択図】図１
2011113078.tif 000002
【特許請求の範囲】
【請求項１】
先端円周部に１０ミリ前後の等間隔で、直径に応じて複数の切り欠きを設けたことを特徴とする偏光フィルター。
【発明の詳細な説明】
【技術分野】
【０００１】  この発明は、カメラなどなどのレンズの前面に装着して使用する偏光フィルターに関するものであり、偏光フイルターの形状に工夫を加えることによりレンズフードを付けたままでも偏光フイルターの操作を容易にしたものである。
【背景技術】
【０００２】  従来、レンズ前面に装着して使用する偏光フィルターは、先端部のリングを親指と人差し指で押さえて回転させながら使用するのが一般的で、複数の切り欠きを付けたものはなかった。
【先行技術文献】
【特許文献１】
【０００３】  特開平９−２８５２９５号公報
【発明の概要】
【発明が解決しようとする課題】
【０００４】  しかし、従来のような操作方法では、入射光を防ぐレンズフードを外さなければならないために、反逆光などの場合には有害な光がレンズ面にあたり、フレアーやゴーストを起こす原因にもなっていた。本発明は、このような不都合を解決することを課題とする。
【課題を解決するための手段】
【０００５】  この課題を解決するための請求項１の発明は、偏光フィルターの先端部に直径に応じて設けられた複数の切り欠きを特徴とする、レンズフードを装着したままでも容易に操作できる偏光フィルターである。
【発明の効果】
【０００６】  偏光フィルターに等間隔で設けられた複数の切り欠き１により、レンズフードを装着した状態、図２でもレンズフードの内側より指先により、順次下に押し下げながら微妙な位置を容易に設定することができる。
【図面の簡単な説明】
【０００７】
【図１】  本発明の斜視図
【図２】  本発明の使用状態
【発明を実施するための形態】
【０００８】  図１は、等間隔で設けられた複数の切り欠きを特徴とする偏光フィルターの斜視図である。間隔は１０ミリ前後でよく、あまり細かくする必要はない。複数付けられているのでカメラのファインダーを覗いたままでも指先で探り当てるのが容易であり、又、微妙な回転も可能である。
【符号の説明】      （１）切り欠き
（２）回転部
（３）レンズ装着側
（４）レンズフード
（５）レンズ本体
【図１】
2011113078.tif 000003
【図２】
2011113078.tif 000004
(57)【要約】【課題】  障害物があっても、また離れた場所からでも認識できる警告ライトを提供する。【解決手段】  図１のように、上空に向かってサーチライトを投射し、警告回転灯を遮る障害物に関係なく、警告サインを把握できることを可能にする新しい警告方法を用いる。また、空中のちりや霧などによる散乱を利用して発光体を作る以外に、図２のように上空にスモークを発生させることにより、それをスクリーンとしてサーチライトを投射し、より効果的に投写光を散乱させ、警告サインを投映することもできる。【選択図】図１
2011113959.tif 000002
【特許請求の範囲】
【請求項１】
空中にサーチライトを投射し、発光元の位置を示すことを特徴とする車載警告ライト。
【発明の詳細な説明】
【技術分野】
【０００１】  この発明は、車両から発する光による緊急警告装置に関する。
【背景技術】
【０００２】  従来の緊急車両などに用いられている警告回転灯では、建物・壁などの障害物や車両があると、これに遮られて回転灯自身が認識できない。例えば、都市高速道路では、近隣の住民に対する騒音対策として、背の高い防音壁が設けられている。そのため、カーブでは防音壁に遮られて、その先の状況が認識できない。
【発明の概要】
【発明が解決しようとする課題】
【０００３】  視界内に背の高い障害物や車両があると、緊急車両などの警告回転灯は見えない。そこで、この発明は空に向かって光を投射することにより、障害物があっても認識できる警告ライトを提供する。
【課題を解決するための手段】
【０００４】  以上の課題を解決するために、警告サインとしての光を空中に投射し、その光を空間的に拡散集光させたり、時間的に点滅させることにより、障害物に関係なく警告を投映する。具体的には、空に向かって投射するサーチライトを設けたことを特徴とする警告ライトである。【０００５】  空が透明であり、投射したサーチライトによる光の散乱が不十分となり、空中での発光が得難い場合は、スモーク装置を用い、これをスクリーンとして光を投射する。
【発明の効果】
【０００６】  空に向かってサーチライトを投射することによって、壁などの障害物で遮られた場所であっても警告情報の発信ができる。
【図面の簡単な説明】
【０００７】
【図１】  警告ライトの実施例
【図２】  スモーク発生装置を用いた場合の警告ライトの投射例
【発明を実施するための形態】
【０００８】  この発明の実施形態を、図１に示す。警告ライトは車の荷台や屋根に取り付けられる。図２のように、スモーク発生装置を使った実施形態においても、１台の車両に全ての装置を搭載することが可能である。従って、いずれの装置でも緊急の使用に際し、速やかに移動し、作動させることができる。
【産業上の利用可能性】
【０００９】  本発明によれば、車両より高い障害物によって、警告回転灯などの直接光で警告情報を送れない状況でも、上空では警告を妨げる障害物がないため伝達することができる。すなわち、建物の高層化や道路環境の複雑化の中で、搭載車両が発する警告を的確に知らせることができ、緊急車両などの安全対策につながることが期待できる。
【図１】
2011113959.tif 000003
【図２】
2011113959.tif 000004
(57)【要約】【課題】  一次電源ラインと電源装置とが近接していてもノイズの発生が抑えられる看板を提供する。【解決手段】  箱形のケース体１と、該ケース体１の正面側に設けられた扉体２とを備え、該扉体２が、表示物を掲示可能な窓部３を有し、前記ケース体１内には、前記窓部３を背面側から照射する光源４と、該光源４へ電力を出力する電源装置５が設けられており、  該電源装置５は、一次電源ラインＬ１，Ｌ２により一次電源に接続されるものであって、前記ケース体１の内側面にスペーサ６を介して取り付けられており、  該スペーサ６は、断面略コ字形で、その内側を前記一次電源ラインＬ１，Ｌ２が通過している。【選択図】      図１
2011113868.tif 000002
【特許請求の範囲】
【請求項１】
箱形のケース体（１）と、該ケース体（１）の正面側に設けられた扉体（２）とを備え、該扉体（２）が、表示物を掲示可能な窓部（３）を有し、前記ケース体（１）内には、前記窓部（３）を背面側から照射する光源（４）と、該光源（４）へ電力を出力する電源装置（５）が設けられており、
該電源装置（５）は、一次電源ライン（Ｌ１，Ｌ２）により一次電源に接続されるものであって、前記ケース体（１）の内側面にスペーサ（６）を介して取り付けられており、
該スペーサ（６）は、断面略コ字形で、その内側を前記一次電源ライン（Ｌ１，Ｌ２）が通過していることを特徴とする看板。
【発明の詳細な説明】
【技術分野】
【０００１】
本発明は、電源装置を内蔵し、一次電源から一次電源ラインにより電力が供給されている看板に関する。
【背景技術】
【０００２】
従来、箱形のケース体と、ケース体の正面側に設けられた扉体とを備え、扉体が表示物を掲示可能な窓部を有し、ケース体内には窓部を背面側から照射する光源が設けられた看板がある（たとえば、文献１）。こうした看板は、一般に電源装置を内蔵しており、外部の一次電源から入力される電力を変圧・整流して光源へ出力する。
【先行技術文献】
【特許文献】
【０００３】
【特許文献１】特開２００６−３３７５２５号公報
【発明の概要】
【発明が解決しようとする課題】
【０００４】
ここで、一次電源からの電力は一次電源ラインにより供給されるが、この一次電源ラインと電源装置とが近接すると、誘導ノイズが発生し、周辺の電子機器や通信機器に影響を及ぼすおそれがある。とくに、最近の看板は薄型化が進んでおり、また中央部には光源があることから、電源装置などは周囲のわずかな隙間に配置され、電源装置と一次電源ラインとが近接せざるを得ないという事情がある。
【０００５】
本発明は、上記事情を鑑みたものであり、一次電源ラインと電源装置とが近接していてもノイズの発生が抑えられる看板を提供することを目的とする。
【課題を解決するための手段】
【０００６】
本発明は、箱形のケース体と、該ケース体の正面側に設けられた扉体とを備え、該扉体が、表示物を掲示可能な窓部を有し、前記ケース体内には、前記窓部を背面側から照射する光源と、該光源へ電力を出力する電源装置が設けられており、該電源装置は、一次電源ラインにより一次電源に接続されるものであって、前記ケース体の内側面にスペーサを介して取り付けられており、該スペーサは、断面略コ字形で、その内側を前記一次電源ラインが通過していることを特徴とする。
【発明の効果】
【０００７】
本発明によれば、スペーサによって電源装置が一次電源ラインからシールドされ、ノイズの発生が抑えられる。これにより、電源装置と一次電源ラインとを近接させても問題ないので、より看板を薄型化することができる。
【図面の簡単な説明】
【０００８】
【図１】本発明の看板の電源装置取付部分の斜視図。
【図２】看板の正面図。
【図３】図２のＡ−Ａ線断面図。
【図４】スペーサによるシールドの効果を示すグラフ。
【発明を実施するための形態】
【０００９】
本発明の看板の具体的な構成について、各図面に基づいて説明する。この看板は、図２に示すように、ケース体１と、扉体２とを備える。ケース体１は、箱形で正面側が開口している。扉体２は、透明な窓部３を有しており、ケース体１の正面側の開口部に開閉自在に設けられている。そして、樹脂板など光を透過する素材に文字、絵や写真などを表した表示物（図示省略）が、窓部３の背面側に設けられる。また、ケース体１の底面には、矩形平板状の導光板７が設けられている。この導光板７は、端面から進入した光を拡散させて一様に面発光させるもので、その上下辺には、光源４が取り付けられている。光源４から発せられる光は、導光板７の端面から進入して、正面から発光する。なお、図２においては配線を省略してある。
【００１０】
ケース体１内の導光板７の周囲には、電源装置５がスペーサ６を介して取り付けられている。電源装置５は、図１に示すように、略直方体形で、両端部に延出する取付片５１を有し、取付片５１にはネジ孔が形成されている。スペーサ６は、図３に示すように、断面略コ字形で、その開口部がケース体１の内側面を向いており、底面６１にネジ孔が形成されている。電源装置５はスペーサ６の底面６１に載置され、電源装置５とスペーサ６の両方のネジ孔を貫通するネジ８によってネジ止めされている。そして、コ字形のスペーサ６の内側空間６２を、一次電源（図示省略）と電源装置５とを接続する一次電源ラインＬ１，Ｌ２が通過している。なお、スペーサ６はステンレス板を折り曲げて形成したものである。
【００１１】
このように構成した看板は、スペーサによって電源装置が一次電源ラインからシールドされ、ノイズの発生が抑えられる。図４は、スペーサがない場合とある場合とで、実際にノイズのレベルを測定した結果を示すグラフである。実験は、一次電源の入力を２００Ｖ、６０Ｈｚとして一次電源ラインの雑音端子電圧を測定したものであり、グラフは横軸に周波数（ＭＨｚ）、縦軸にノイズレベル（ｄＢ（μＶ））をとったものである。これによると、（ａ）のスペーサがない場合には、ノイズレベルが最大で８０ｄＢであるのに対し、（ｂ）のスペーサがある場合には、最大でも５６ｄＢであり、ノイズが大幅に低減されていることがわかる。このように、スペーサを設けることでノイズが低減され、電源装置と一次電源ラインとを近接させても問題なくなるので、より看板を薄型化することができる。
【００１２】
本発明は上記の実施形態に限定されない。看板の構造は一例を示したものであり、たとえば、導光板を用いず光源の光で表示物を直接照射するものであってもよいし、光源の種類はＬＥＤや蛍光灯などどのようなものであってもよい。また、上記においてスイッチやブレーカなどの機器は省略したが、それらを備えていてもよい。
【符号の説明】
【００１３】
１  ケース体
２  扉体
３  窓部
４  光源
５  電源装置
６  スペーサ
Ｌ１，Ｌ２  一次電源ライン
【図１】
2011113868.tif 000003
【図２】
2011113868.tif 000004
【図３】
2011113868.tif 000005
【図４】
2011113868.tif 000006
(57)【要約】【課題】操作者がハンドルを押し下げる操作により、患者の胸部から腹部を受けて抱きかかえるパッドを操作者側へ引き寄せ、患者の臀部を座面から浮かせる移乗装置において、患者が操作者側へ引き寄せられる時に、患者の頭部とハンドル部材との接触を防止し、さらに患者のずれをなくする。【解決手段】上記課題を解決するために、パッド２と操作ハンドル１との間を可撓式連結部材３によって連結し、操作者が操作ハンドル１を押し下げる操作により、患者の胸部から腹部を受けて抱きかかえるパッド２を操作者側へ引き寄せる時、このパッド２と操作ハンドル１との間に設置された可撓式連結部材３により、患者の頭部と操作ハンドル１の部材との接触を防止する。また、パッド２と操作ハンドル１との間に設置された可撓式連結部材３の上に両腕を載せて固定し、パッド２で身体を引き寄せるときのずれを防止する。【選択図】      図１
2011019796.tif 000002
【特許請求の範囲】
【請求項１】
ハンドルを押し下げる操作により、患者の胸部から腹部を受けて抱きかかえるパッドを操作者側へ引き寄せ、患者の臀部を座面から浮かせる構造の移乗装置において、パッドと操作ハンドルとの間を可撓式の部材によって連結したことを特徴とする移乗装置。
【発明の詳細な説明】
【技術分野】
【０００１】
本発明は、たとえばベッドから車椅子へ、あるいはベッドからトイレへ、またその逆方向へ、患者を移乗させる移動式の移乗装置に関する。
【背景技術】
【０００２】
発明者は本発明に先立ち、特許文献１にあるように、平成２０年に特願２００８−２８１６４６にて移乗装置の特許出願を行った。この移乗装置はハンドルを押し下げる操作により、患者の胸部から腹部を受けて抱きかかえるパッドを操作者側へ引き寄せ、患者の臀部を座面から浮かせる構造の移乗装置である。
【先行技術文献】
【特許文献】
【０００３】
【特許文献１】特願２００８−２８１６４６
【発明の概要】
【発明が解決しようとする課題】
【０００４】
従来技術として特願２００８−２８１６４６の構造では、操作者がハンドルを押し下げる操作により、患者の胸部から腹部を受けて抱きかかえるパッドを操作者側へ引き寄せ、患者の臀部を座面から浮かせるのであるが、パッドに抱えられた胸部が操作者側へ引き寄せられるとき、頭部もハンドル側に移動し、ハンドル部材と近距離で対面する。位置関係によっては頭部とハンドル部材とが接触する場合もあり、危険である。
【０００５】
また、この時両腕はパッド前縁から操作者側へ出ており、ハンドルに設けられている握り部をつかむこととなるが、腕の動作、指の動作の不自由な患者は、だらりと下方に垂れ下がっている。そうなると腕が固定されていないのでパッドで身体を引き寄せるときにずれやすくなってしまう。
【０００６】
そこで、本発明の目的は、操作者がハンドルを押し下げる操作により、患者の胸部から腹部を受けて抱きかかえるパッドを操作者側へ引き寄せる時に、患者の両腕を支え、頭部とハンドル部材との接触を防止し、患者に安全と安心を提供することにある。
【課題を解決するための手段】
【０００７】
上記課題を解決するために、１番目の発明では、パッドと操作ハンドルとの間を可撓式の部材によって連結した構造としている。
【発明の効果】
【０００８】
１番目の発明によれば、操作者がハンドルを押し下げる操作により、患者の胸部から腹部を受けて抱きかかえるパッドを操作者側へ引き寄せる時に、このパッドと操作ハンドルとの間に設置された可撓式の部材により、患者の頭部とハンドル部材との接触を防止し、患者に安全と安心を提供する。      
【０００９】
また、パッドと操作ハンドルとの間に設置された可撓式の部材の上に両腕を載せることにより、両腕が固定され、パッドで身体を引き寄せるときにずれにくくなる。
【図面の簡単な説明】
【００１０】
【図１】操作ハンドルを押し下げる前の装置の初期状態の側面図である。
【図２】操作ハンドルを押し下げて患者を乗せた状態の装置の側面図である。
【図３】可撓式連結部材とパッド及び握り部との連結状態を示す図である。
【発明を実施するための形態】
【００１１】
以下、図面を参照して本発明の実施の形態について説明する。図１は装置の初期状態の側面図を示す。この状態で可撓式連結部材３は、その一端をパッド２の前縁に固定され、他端を操作ハンドル１に設置された握り部４に固定されている。
【００１２】
この状態で、パッド２にて患者の胸部から腹部を受けて抱きかかえ、患者の腕を可撓式連結部材３の上に載せる。
【００１３】
この状態から操作ハンドル１が押し下げられた状態を図２に示す。患者の頭部が操作ハンドル１に近づくが可撓式連結部材３により、操作ハンドル１との接触が避けられている。
【００１４】
また、両腕も可撓式連結部材３に載って固定されており、パッド２から後方へずれにくくなっている。
【００１５】
図３は可撓式連結部材３とパッド２及び握り部４との連結状態を示す。パッド２の前縁には面ファスナー７が設けられており、可撓式連結部材３に設けられた面ファスナー８と固定される。面ファスナー８は面ファスナー７の表面と固定された後、面ファスナー７の裏側に折り曲げられてさらに固定される。
【００１６】
また可撓式連結部材３の他端は面ファスナー９が両側で延出しており、握り部４を内側から巻き込んで折り返し、固定される。
【００１７】
可撓式連結部材３の裏側下方には緩衝部材６が設置されており、ハンドル部材と接触しても衝撃が直接人体に加わらない構造となっている。たとえば厚みのあるスポンジのような物である。
【００１８】
可撓式連結部材３はおおむね凹形状をしており、患者の腕を載せたときに両サイドのたてりで位置固定され、ずれて外れて下方に落ちない構造となっている。
【符号の説明】
【００１９】
１  操作ハンドル
２  パッド
３  可撓式連結部材
４  握り部
５  移乗装置本体
６  緩衝部材
７  面ファスナー
８  面ファスナー
９  面ファスナー
【図１】
2011019796.tif 000003
【図２】
2011019796.tif 000004
【図３】
2011019796.tif 000005
(57)【要約】      （修正有）【課題】釣りに使われるタモ網と魚籠は従来別々に作られていたので、釣りをする際には、常に両方を用意しなければならないという問題があった。これは、魚を掬うタモ網と魚を入れる魚籠が、網という共通の素材を用いながら、その形状や機能が全く異なるためである。【解決手段】タモ網と魚籠を一体化させれば、装備の簡略化、簡略化による移動の容易さ、及び、一体化させたことによって魚を傷つけず確実に魚籠に収めることなどが達成できる。一体化には、枠部１に取り付けられた網部２に袋状のベルト７を縫込み、その中に係止具５をつけた紐６を通し、その紐を絞ることで１つの網でも網部分と魚籠の部分の２つの機能を一体化させ装備の簡略化と移動の容易さを可能にし、且つ、紐を緩めることで、魚に手を触れることなく確実に魚籠に収めることができる。【選択図】図１
2011019492.tif 000002
【特許請求の範囲】
【請求項１】
魚釣りに用いる魚籠タモ網であって、枠部と前記枠部に連結された柄部、前記枠部に固定されている袋状の網材とから成り、該網材の高さ方向の任意の位置において円周方向に紐を通し絞ることのできるベルト部を備えた釣り用の魚籠タモ網。
【請求項２】
袋状の網の円周方向に通した紐を係止具できる請求項１の釣り用の魚籠タモ網。
【発明の詳細な説明】
【技術分野】
【０００１】
本発明は、魚を掬うタモ網及び魚を入れる魚籠に関するものである。
【背景技術】
【０００２】
釣りをする場合において、魚を掬うタモ網と魚を入れる魚籠は別々に用意されていた。
【先行技術文献】
【特許文献】
【０００３】
【特許文献１】特開２００１−２０４２９９号公報
【発明の概要】
【発明が解決しようとする課題】
【０００４】
タモ網と魚籠を別々に用意することは、移動の際の障害になることや、タモ網で掬った魚を魚籠に移す際に逃げられるという問題を抱えていた。
【０００５】
本発明の課題は、タモ網の機能と魚籠の機能を一体化させることができる釣用魚籠タモ網を提供することにある。また、一体化させることにより、直接、魚に触れずにタモ網から魚籠に移動できるので魚を傷つけることもないという効果もある。
【課題を解決するための手段】
【０００６】
本発明は、タモ網部と魚籠部分を兼ねられる一定の長さを持った袋状の網の高さの途中に、円周方向に筒状のベルトを縫いこみ、その中に紐を通す。この紐を絞ることにより、網は魚を掬うたも網と魚を入れる魚籠に分けることができ、且つ、紐を緩めることにより、その機能を開放できる。このことにより上記の問題点を解決している。
【０００７】
また、この網の円周方向のベルトの中を通す紐に係止具を付けることにより、簡易且つ確実に、上記の問題点を解決している。
【発明の効果】
【０００８】
前述のように、本発明の釣用魚籠タモ網は、魚を掬うタモ網と魚を入れる魚籠の機能を一体化させ用具を減らすことが可能になったため、釣りの場所を移動することが容易になった。この効果は、用具を手で持ち徒歩で移動する際には、特に顕著に現れる。また、タモ網から魚籠に魚を移す行為が、紐に付いている係止具を緩めるだけなので魚を逃がすことが殆どないばかりか、魚に触れずに移すことができるため魚を傷つけることが無い。
【図面の簡単な説明】
【０００９】
【図１】本発明の一実施形態を採用した魚籠タモ網の全体図。
【図２】図１の魚籠タモ網の枠部と柄部の連結状態を示す拡大図。
【図３】図１の魚籠タモ網の側面図。
【図４】図１の釣用魚籠タモ網の網とベルト部、及び紐の拡大図。
【図５】側面図３におけるA−A線断面図。
【図６】図１の魚籠タモ網の紐を絞り魚をタモ網に収めた状態と、前記の紐を緩め魚を魚籠部に落とす状態図。
【発明を実施するための形態】
【００１０】
本発明の一実施形態について図面を参照しつつ説明する。本発明の一実施形態を採用した釣用の魚籠タモ網は、図１に示すように、環状の枠部１と枠部１に取り付けられた網部２と、中空の柄部３と柄の後端に取り付けられ柄を被覆するハンドル部４とを有している。
【００１１】
枠部１と柄部３の連結の一方法を図２に示す。枠部１は耐久性のあるアルミ等適宜素材の金属製線状部材を環状に折り曲げて形成したものである。この枠部１の両端部はそれぞれ外周方向に折り曲げられており、この折曲げられた両端部を耐久性のあるアルミ等適宜素材による中空の柄部３に挿入され連結固定される。連結の方法としては、その他に、柄部１の外周方向に伸ばした端部を延長しハンドル部４を被覆した形などがある。
【００１２】
網部２は、ナイロン繊維等からなる糸を網目状に編みこんだ袋状の部材である。この網部２の構造を図３に示す。網部２の高さ方向の途中に、網部２の円周方向に沿って筒状のベルト７を縫いこむ。そして、この筒状のベルト７の中に紐６を通す。この紐を絞ったり、緩めたりすることで網と魚籠の機能を保持、開放する。
【００１３】
この紐６を締めたり緩めたりすることは、紐を結んだり解いたりすることで実現できるが、より簡易、且つ確実に行うために、係止具５を用いる。
【００１４】
網部２に紐６を取り付ける方法としては、網部２の網目の内側と外側に交互に紐６を通し編みこむ方法もあるが、網目が細かくなるほど魚を傷める傾向が減るため、図４及び図５に示すように、網部２に筒状のベルト７を縫込み、その中に紐６を通す。この方法は紐を編みこむ方法に比べて、網を絞ったり緩めたりする際の抵抗が少なくなる。
【００１５】
図６は上部に紐を絞りタモも網と魚籠の部分に分けた状態、下部に紐を緩めタモ網部を開放し、魚を魚籠部分に移動させる状態を示したものである。
この紐６を締めたり、緩めたりする際には、直接魚と触れることが無い。これにより、魚を傷つけることなく、且つ確実に魚を魚籠に確保することができる。
【符号の説明】
【００１６】
１  枠部
２  網部
３  柄部
４  ハンドル部
５  係止具
６  紐
７  ベルト部
【図１】
2011019492.tif 000003
【図２】
2011019492.tif 000004
【図３】
2011019492.tif 000005
【図４】
2011019492.tif 000006
【図５】
2011019492.tif 000007
【図６】
2011019492.tif 000008
(57)【要約】      （修正有）【課題】野鳥が繁殖するための巣箱で、その巣箱の営巣率（使用する頻度）を高め、野鳥保護を提供する。【解決手段】従来の一体型巣箱を本体（上部）と本体（下部）に分け、本体（上部）を回転できるようにし、適切な方角に巣穴を向けることができる。【選択図】図１
2011019497.tif 000002
【特許請求の範囲】
【請求項１】
上部が回転することで、どの方角に取り付けた巣箱でも巣穴を適切な方角に向けることができる野鳥が営巣しやすい巣箱。
【発明の詳細な説明】
【技術分野】
【０００１】  本発明は、本体上部と本体下部に分かれ上部が回転する巣箱である。
【背景技術】
【０００２】  野鳥が繁殖するために必要な巣箱は巣穴の方角によって営巣率が大きく影響する。
【発明の開示】
【発明が解決しようとする課題】
【０００３】  従来巣箱は本体と巣穴は同体で取り付け位置によっては、巣穴を営巣しやすい方角に設置することが容易ではなかった。
【課題を解決するための手段】
【０００４】  巣箱を上部（巣穴部）と下部（本体部）に分け、上部にある巣穴部を回転できるようにし営巣率の高い方角に向けることができる。
【発明の効果】
【０００５】  巣箱を設置する際、樹木や建物に直接設置する場合や樹木に吊り下げる場合でも広範囲に設置場所を選ぶことができる。
【発明を実施するための最良の形態】
【０００６】  本発明の実施について説明する。（４．）吊り下げ部又は（５．）直付け用穴部を使用し、本体を設置。（２．）本体（上部）を左右に回転させ巣穴を営巣しやすい方角に向ける。
【図面の簡単な説明】
【０００７】
【図１】  本発明の立面図である。
【図２】  本発明の使用状態を示した吊り下げ式の斜視図である。
【図３】  本発明の使用状態を示した直付けの斜視図である。
【符号の説明】
【０００８】    １  巣穴
２  本体（上部）
３  本体（下部）
４  吊り下げ部
５  直付け用穴部
６  直付け用穴部
【図１】
2011019497.tif 000003
【図２】
2011019497.tif 000004
【図３】
2011019497.tif 000005
(57)【要約】【課題】電圧を高くすることができ、まともに電力を取り出せる直流発電機を提供する。【解決手段】電機子を複数設置し磁気の逆のゾーンも作り、その軸を上下に二つ用意しすべてを直列に流れるようにした直流発電機。【特許請求の範囲】
【請求項１】
電機子を複数重ね磁界を逆向きに変えたゾーンがあり、その回転軸を上下２つ用意して上の銅板にはそれぞれ遊びを設けるようにして接触させ直列に電流を流せるようにした直流発電機。
【請求項２】
外枠と中枠の鉄板に固定した磁石を設け、軸の重みを磁気で持ちベアリングに負担をかけないようにした構造を持つ直流発電機。
【請求項３】
上の軸の装置を吊ってスライドさせれて位置を調節できる構造を持つ直流発電機。
【発明の詳細な説明】
【技術分野】
【０００１】本発明は直流発電機に関するものである。
【背景技術】
【０００２】Ｎマシンと呼ばれる直流発電機が考案されている。
【発明の概要】
【発明が解決しようとする課題】
【０００３】従来のものには次のような問題点があった。
発電する電圧が低いこと。外径からブラシで電流をとる必要があり、その接触抵抗が大きくなり電流が流れずらく摩擦による回転させる抵抗も大きかった。
【課題を解決するための手段】
【０００４】電機子の上に逆回転させる電機子を載せるようにした。さらに電機子をたくさんならべ磁界を逆にした電機子を設けていくつもの電機子を直列に流れるようにし電圧を上げれるようにした。ブラシは摩擦の少なくなる軸から受けるようにした。多数の接触点ができるがすべて確実に通電させるため上の各銅板に遊びができるようにし重力で下の銅板に接するように工夫した。
【発明の効果】
【０００５】電圧を上げることが容易になり電力をまともに取り出すことが可能となった。
【図面の簡単な説明】
【０００６】
【図１】  斜視図
【図２】  上から見た図
【図３】  前か見た図
【図４】  断面図
【図５】  電流の流れ図
【図６】  磁界の流れ図
【図７】  詳細図
【図８】  詳細図
【発明を実施するための形態】
【０００７】以下、本発明の実施の形態について説明する。
（イ）（２）銅板を（１）磁石ではさむ基本形をいくつか重ね磁界の向きを変えたゾーンも設ける。
（ロ）上下に２軸用意し下の（２）銅板は固定するのに対し上の（２）銅板は固定せずに遊びを設け尚且つ（４）スポンジをはさんだ（６）薄い銅部品と（５）銅板を通し配線につなげるようにする。
（ハ）外枠と中枠の鉄板にも磁石をとりつけ上下とも回転軸を磁力により持つようにし（８）ベアリングに負担をかけないようにした。
（ニ）外枠をスライドできるように上の軸を吊るすようにし調整でき適切な位置に固定する。
【符号の説明】
【０００８】  １  磁石
２  銅板
３  固定体
４  スポンジ
５  銅部品
６  銅部品
７  鉄枠
８  ベアリング
【図１】
2011019381.tif 000002
【図２】
2011019381.tif 000003
【図３】
2011019381.tif 000004
【図４】
2011019381.tif 000005
【図５】
2011019381.tif 000006
【図６】
2011019381.tif 000007
【図７】
2011019381.tif 000008
【図８】
2011019381.tif 000009
(57)【要約】【課題】持ち運びしやすく簡単に装着して使える多目的ポーチを提供する。【解決手段】ポーチに窓を設け、その窓の蓋を利用して様々な場所に装着可能にする【選択図】図２
2011019890.tif 000002
【特許請求の範囲】
【請求項１】
（イ）ポーチ型やケース型のものに窓を設ける
（ロ）窓に蓋を儲ける
（ハ）窓の蓋の部分に留め具をつけ、あらゆる箇所に装着可能にする
以上の構成からなるポーチ。
【発明の詳細な説明】
【技術分野】
【０００１】本発明は、窓をつけ、その窓の蓋に留め具を設けた多目的ポーチに関するものである。
【背景技術】
【０００２】従来、特許出願２００７−１３５９８７があった。
【発明の開示】
【発明が解決しようとする課題】
【０００３】  それには次のような問題点があった。
（イ）ポーチの中に物を入れたまま、ポーチごと使用することが出来ない
（ロ）装着具をなくしてしまう可能性がある
【課題を解決するための手段】
【０００４】（イ）ポーチ型にする。またはケース型でも可。
（ロ）ポーチ、ケースに窓をつける
（ハ）窓の蓋に留め具を付ける
【発明の効果】
【０００５】（イ）蓋を閉めると普通のポーチやケースと同じように使用でき、そのまま鞄に入れられる
（ロ）蓋がなくならない、邪魔にならない
（ハ）多目的に使える
（例１）保冷剤やゲルなど冷却効果のあるものを入れて襟に装着し首筋に当てる
（例２）ティッシュ、ビニール袋、小物などを入れてズボン、スカートなどに装着する
（例３）スライド式携帯やｉ−ｐｈｏｎｅ、折りたたみ式携帯の小さいディスプレイをポーチの窓から見えるようにセットし、ズボン、スカートなどに装着する
【発明を実施するための最良の形態】
【０００６】以下、本発明の実施の形態について説明する。
【実施例１】（イ）保冷シートなど断熱効果のある素材でポーチを作る
（ロ）ポーチの中央に窓（１）を設ける
（ハ）窓に蓋（２）を設ける
（ニ）蓋に留め具（３）をつける
（ホ）滑り止め（４）を付ける（襟に装着した時に衣服などをよれさせないため）
（ヘ）保冷剤やゲルなどをチャックから入れる
（ト）ワイシャツなどの首に窓の部分が当たるように、ワイシャツの襟に装着する
【実施例２】（イ）軽い素材でポーチやケースを作る
（ロ）ポーチの中央に窓（１）を設ける
（ハ）窓に蓋（２）を設ける（磁石も可）
（ニ）蓋に留め具（３）をつける
（ホ）ティッシュや携帯電話をチャックから入れる
（ヘ）ズボンやスカート、ベルト、カバンなどに装着する
本発明は以上のような構成で、これを使用する時は以下のように使用する。
（イ）ポーチのチャック（５）を開け、物質（６）を入れる
（ロ）窓の蓋（２）を開け、後ろに回す
（ハ）留め具（３）で留めたい場所に止める
【図面の簡単な説明】
【０００７】
【図１】本発明の斜視図
【図２】本発明の開扉状態の斜視図
【図３】本発明の使用方法説明図
【図４】本発明の他の実施例を示す
【符号の説明】
【０００８】１、窓    ２、蓋    ３、留め具    ４、滑り止め    ５、チャック    ６、物質
【図１】
2011019890.tif 000003
【図２】
2011019890.tif 000004
【図３】
2011019890.tif 000005
【図４】
2011019890.tif 000006
(57)【要約】【課題】  市販されている食料品や物品を密封し、収納したビニール袋は、初めて開く祭、指定された位置を切断した後、開閉できる構造のものがあるが、まれに切断箇所が判断しにくく、又、高齢者や作業者の指先は潤いに欠ける場合があり、切断箇所を開くのに困難な場合がある。【解決手段】  ハサミの刃の部分にビニール袋等の切断後の開口を容易にする為の、エラストマーを取り付けた金具により、ハサミでの切断途中や、切断後ハサミを開くと、ビニール袋の一部分が金具にあるエラストマーに付着し、同時に袋を開くことができる開口用の特殊な金具を設けた物である。【選択図】図１
2011019886.tif 000002
【特許請求の範囲】
【請求項１】
ハサミの刃Ａとハサミの刃Ｂに取り付けられた開口用特殊金具Ａと開口用特殊金具Ｂによりビニール袋の切断と、その袋の開口を同時に行うハサミ。
【請求項２】
開口用特殊金具Ａと開口用特殊金具Ｂに付着材としてエラストマーを取り付けた請求項１記載のハサミ。
【発明の詳細な説明】
【技術分野】
【０００１】  本発明は、高齢者や一般作業者のストレス緩和を図った器具である。
【発明の概要】
【発明が解決しようとする課題】
【０００２】  市販されている食料品や物品を密封し、収納したビニール袋は、初めて開く祭、指定された位置を切断した後、開閉できる構造のものがあるが、まれに切断箇所が判断しにくく、又、高齢者や作業者の指先は潤いに欠ける場合があり、切断箇所を開くのに困難な場合がある。
【課題を解決するための手段】
【０００３】  本発明は、上記課題を達成するために、ハサミの刃の部分にビニール袋等の切断後の開口を容易にする為の、エラストマーを取り付けた金具により、ハサミでの切断途中や、切断後ハサミを開くと、ビニール袋の一部分が金具にあるエラストマーに付着し、同時に袋を開くことができる開口用特殊金具を設けた物である。
【図面の簡単な説明】
【０００４】
【図１】  本発明の実施形態を示す上から見た外観図
【図２】  開口用特殊金具Ａの横から見た外観図
【図３】  開口用特殊金具Ｂの横から見た外観図
【図４】  同開口用特殊金具に取り付けるエラストマー外観図
【図５】  同開口用特殊金具Ａの図１におけるＡ−Ａ断面図
【図６】  同開口用特殊金具Ｂの図１におけるＢ−Ｂ断面図
【発明を実施するための形態】
【０００５】  以下、本発明の実施の形態を図１〜図５にづいて説明する。
【０００６】  図において、１は開口用特殊金具を取り付けるハサミ本体で、開口用特殊金具Ａの２、開口用特殊金具Ａを止めるビス用の小判穴３、その金具を本体のハサミに取り付ける為のビス４、ビス用ワッシャー５、開口したビニール等を付着させるエラストマー６で、ハサミ本体の７の背面から、８の特殊金具Ｂがビスで留められる。ハサミ本体のビス用タップ穴９はハサミ本体の１と７に共通で同ピッチにあり、又、特殊金具Ｂも共通として６のエラストマーが取り付けられている。
【０００７】  また、図２の開口用特殊金具ＡとＢは、筒状のエラストマー６を、金具中央の切り込み部分の１１に挿入し、エラストマー６の脱落を防止する。
【図１】
2011019886.tif 000003
【図２】
2011019886.tif 000004
【図３】
2011019886.tif 000005
【図４】
2011019886.tif 000006
【図５】
2011019886.tif 000007
【図６】
2011019886.tif 000008